(57)【要約】【課題】少なくとも一つの記録層を備えた追記型光ディスクにディスク制御情報を記録する方法の改良に関する。【解決手段】少なくとも一つ以上の記録層を持つ光ディスクの管理領域にディスク制御情報を記録する場合、少なくとも一つ以上のディスク制御情報を管理領域に提供する。管理領域では、少なくとも一つ以上のディスク制御情報が応用可能な記録速度別及び応用可能な記録層別に互いに分離して提供される。管理領域において、応用可能な記録速度別第１ディスク制御情報を表す情報は、前記ディスク制御情報に記録される応用可能な記録層のディスク情報の位置を表す情報から分離される。したがって、光ディスクの記録／再生に效率的に対処できる規格化したディスク制御情報を均一に適用して多数のディスク情報を效果的に検索することができる。【選択図】図１
2007527084.tif 000002
【特許請求の範囲】
【請求項１】
記録媒体に制御情報を記録する方法において、
特定記録速度及び記録速度と関連して少なくとも一つ以上の情報単位を持つ制御情報を生成する段階（ここで、前記情報単位は、応用可能な記録速度の情報単位位置を表した第１ポインタ及び応用可能な記録層の情報位置を表した第２ポインタを含む。）と、
前記少なくとも一つ以上の情報単位を前記記録媒体の特定領域に記録する段階と、
を備えることを特徴とする、記録媒体に制御情報を記録する方法。
【請求項２】
前記第１ポインタは、応用可能な記録速度別第１情報単位の位置を表すことを特徴とする、請求項１に記載の記録媒体に制御情報を記録する方法。
【請求項３】
前記第１ポインタ及び前記第２ポインタはそれぞれ、複数の情報単位に記録されることを特徴とする、請求項１に記載の記録媒体に制御情報を記録する方法。
【請求項４】
前記第１及び第２ポインタに基づいて、検索される情報の位置が決定されることを特徴とする、請求項１に記載の記録媒体に制御情報を記録する方法。
【請求項５】
前記第１ポインタは、該当情報単位のシーケンス順序を表すことを特徴とする、請求項１に記載の記録媒体に制御情報を記録する方法。
【請求項６】
前記第２ポインタは、該当記録速度別第１位置情報に追加される番号を表すことを特徴とする、請求項５に記載の記録媒体に制御情報を記録する方法。
【請求項７】
前記第１ポインタ及び前記第２ポインタはグループに分類され、少なくとも一つのグループが前記情報単位に存在することを特徴とする、請求項１に記載の記録媒体に制御情報を記録する方法。
【請求項８】
前記情報単位は、少なくとも一つのグループが使用されるか否かを表示する情報をさらに含むことを特徴とする、請求項７に記載の記録媒体に制御情報を記録する方法。
【請求項９】
前記情報単位は、前記該当情報の記録層情報及び記録速度情報をさらに含むことを特徴とする、請求項１に記載の記録媒体に制御情報を記録する方法。
【請求項１０】
記録媒体に制御情報を記録する方法において、
特定記録速度及び記録速度と関連して少なくとも一つ以上の情報単位を持つ制御情報を生成する段階（ここで、前記少なくとも一つ以上の情報単位は、特定記録速度及び特定記録層のための記録方法（write strategy）、及び特定記録速度と特定記録層と関連した情報単位を表すポインタ情報を含む。）と、
前記制御情報を前記記録媒体の特定領域に記録する段階と、
を備えることを特徴とする、記録媒体に制御情報を記録する方法。
【請求項１１】
前記ポインタ情報はそれぞれ、複数の情報単位に記録されることを特徴とする、請求項１０に記載の記録媒体に制御情報を記録する方法。
【請求項１２】
前記ポインタ情報は、応用可能な記録速度別第１情報単位の位置を表す第１ポインタを含むことを特徴とする、請求項１０に記載の記録媒体に制御情報を記録する方法。
【請求項１３】
前記ポインタ情報は、前記情報単位に記録される前記応用可能な記録層の情報単位の位置を表す第２ポインタを含むことを特徴とする、請求項１２に記載の記録媒体に制御情報を記録する方法。
【請求項１４】
前記第１ポインタは、前記情報単位内の前記第２ポインタと分離されることを特徴とする、請求項１３に記載の記録媒体に制御情報を記録する方法。
【請求項１５】
前記ポインタ情報は、前記特定記録速度及び特定記録層と関連した前記情報単位のシーケンス番号を直接表すことを特徴とする、請求項１０に記載の記録媒体に制御情報を記録する方法。
【請求項１６】
少なくとも一つの記録層を持つ記録媒体に記録されたり或いは前記記録媒体に記録／再生される制御情報のためのデータ構造において、
前記制御情報は、少なくとも一つ以上の情報単位を含み、
前記情報単位は、前記記録媒体の特定領域に位置し、各情報単位は特定記録速度及び特定記録層によるシーケンス番号を識別できる位置ポインタを含むことを特徴とするデータ構造。
【請求項１７】
追記可能な領域と事前記録された領域とを備えた少なくとも一つの記録層を含む記録媒体において、
情報単位は、前記事前記録された領域内に応用可能な記録層及び記録速度別に提供され、
前記情報単位は、前記応用可能な記録速度別第１情報単位の位置を表す第１ポインタ及び前記応用可能な記録層の情報単位位置を表す第２ポインタを含むことを特徴とする記録媒体。
【請求項１８】
少なくとも一つ以上の記録層を備え、
前記記録層は、
応用可能な記録層別及び記録速度別に少なくとも一つ以上のディスク制御情報を記録した領域を前記光ディスクの管理領域に提供して、
前記少なくとも一つ以上のディスク制御情報のそれぞれに、共通ポインタ情報を記録し、該共通ポインタ情報によって前記少なくとも一つ以上のディスク制御情報が互いに同じ値を持つようにすることを特徴とする光ディスク。
【請求項１９】
光ディスクにデータを記録する方法において、
要求された記録速度のためのディスク情報の位置をポインタ情報に基づいてチェックする段階（ここで、前記ポインタ情報は応用可能な記録速度別第１ディスク情報の位置を表す第１ポインタを含む。）と、
前記第１ポインタで表示される前記ディスク情報に基づいて記録媒体の特定領域にデータを記録する段階と、
を備えることを特徴とする、光ディスクへのデータ記録方法。
【請求項２０】
前記ポインタ情報は、応用可能な記録層の位置を表す第２ポインタを含み、応用可能な記録層にデータを記録することを特徴とする、請求項１９に記載の光ディスクへのデータ記録方法。
【請求項２１】
光ディスクにまたは光ディスクからデータを記録する方法において、
要求された記録速度のためのディスク情報の位置をポインタ情報に基づいてチェックする段階（ここで、前記ポインタ情報は、応用可能な記録層の位置を表す第１ポインタを含む。）と、
前記第１ポインタ及び第２ポインタで表示される前記ディスク情報に基づいて記録媒体の特定領域にデータを記録する段階と、
を備えることを特徴とする、光ディスクへのデータ記録方法。
【請求項２２】
前記ポインタ情報は、応用可能な記録速度別第１ディスク情報の位置を表す第２ポインタを含み、応用可能な記録速度でデータを記録することを特徴とする、請求項２１に記載の光ディスクへのデータ記録方法。
【請求項２３】
光ディスクにまたは光ディスクからデータを記録する方法において、
要求された記録速度のためのディスク情報の位置をポインタ情報に基づいて検索する段階（ここで、前記ポインタ情報は、応用可能な記録速度別第１ディスク情報の位置を表す第１ポインタ及び応用可能な記録層の位置を表す第２ポインタを含む。）と、
前記第１ポインタで表示される前記ディスク情報に基づいて記録媒体の特定領域にデータを記録する段階と、
を備えることを特徴とする、光ディスクへのデータ記録方法。
【請求項２４】
光ディスクにデータを記録、或いは光ディスクからデータを再生する装置において、
光記録媒体の管理領域内の記録層別及び記録速度別に分離して記録された多数のディスク制御情報を読み出す光ピックアップ部（ここで、各ディスク制御情報は、特定記録層の特定記録速度と関連したディスク制御情報の位置を表す位置情報を含む。）と、
前記光ピックアップ部から読み出された前記位置情報から、前記特定記録層及び特定記録速度と関連した前記ディスク制御情報の位置をチェックして、チェックされたディスク制御情報に含まれる記録方法パラメータを用いて記録動作を行う制御部と、
を備えることを特徴とする、光ディスクへのデータ記録／再生装置。
【請求項２５】
前記記録層情報及び記録速度情報は、各ディスク制御情報内に分離して含まれ、前記特定記録速度及び特定記録層と関連した前記ディスク制御情報の位置が正確であるか否かを検証可能にすることを特徴とする、請求項２４に記載の光ディスクへのデータ記録／再生装置。
【発明の詳細な説明】
【技術分野】
【０００１】
本発明は、光ディスクのような記録媒体、少なくとも一つの記録層を備えた追記型光ディスク（recordable optical disc）にディスク制御情報を記録する方法に係り、より詳細には、ディスク制御情報そのものにディスク制御情報の特定位置を表した情報を記録する方法、要求されたディスク制御情報を検索する方法、及び上記追記型光ディスクの特定領域に記録されたディスク制御情報を使用してデータを記録する方法に関する。
【背景技術】
【０００２】
近年、高画質のビデオデータ、多量のプログラムデータ及び高音質のオーディオデータを記録及び格納できる高密度光記録媒体（例えば、ＨＤ−ＤＶＤ）が広く使用されている。 次世代ＨＤ−ＤＶＤ技術の代表にはブルーレイディスク（以下、‘ＢＤ’ともいう。）がある。一度だけ書き込み可能なブルーレイディスク（ＢＤ−ＷＯ）に対する標準案及びブルーレイディスクに対する世界標準の技術仕様が定められてきている。
【０００３】
一方、現在論議中の書き換え可能な（rewritable）ブルーレイディスク（すなわち、１倍速ＢＤ−ＲＥ）は、より高い記録速度のＢＤ−ＲＥディスク（すなわち、２倍速ＢＤ−ＲＥ以上）と互換可能でなければならない。高速記録速度のためのＢＤ−ＷＯ技術仕様の標準案の設定については現在進行中にある。
【０００４】
要するに、高密度光ディスクの高速記録速度に対処するための効果的なソリューションが至急要求されており、定められた技術仕様は、相互互換性（mutual compatibility）を保障しなければならない。
【発明の開示】
【発明が解決しようとする課題】
【０００５】
したがって、本発明は、上記の従来技術における問題点を解決するためのもので、ディスク制御情報記録方法を関する。
【０００６】
本発明の目的は、ディスク制御情報を高速記録速度に対処する特定情報として記録する方法を提供することにあり、この方法により、記録速度情報がディスク制御情報に含まれるので、記録されたディスク制御情報を効果的に検索することが可能になる。
【０００７】
本発明の他の目的は、高速記録速度に対処するディスク制御情報をディスク内の特定領域に提供する方法を提供することにあり、この方法により、同じ種類のディスク間に相互互換性が提供される。
【０００８】
本発明のさらに他の目的は、ディスク制御情報を検索する方法を提供することにあり、この方法により、実際にデータが光ディスクに、または該光ディスクから書込み／再生されるときに、特定記録速度と関連して要求されたディスク制御情報のコンテンツを、該記録されたディスク制御情報を用いて検索することができる。
【０００９】
その他の本発明の特長は、後述される詳細説明から明らかになる。したがって、本発明の目的及び長所は、添付された図面のほか、詳細説明と特許請求の範囲の記載に基づく構造により具現及び獲得することができる。
【課題を解決するための手段】
【００１０】
本発明に係る、記録媒体に制御情報を記録する方法は、特定記録速度及び記録速度と関連して少なくとも一つ以上の情報単位を持つ制御情報を生成する段階（ここで、前記情報単位は、応用可能な記録速度の情報単位位置を表した第１ポインタ及び応用可能な記録層の情報位置を表した第２ポインタを含む。）と、前記少なくとも一つ以上の情報単位を前記記録媒体の特定領域に記録する段階と、を備えることを特徴とする。
【００１１】
本発明に係る、記録媒体に制御情報を記録する方法は、特定記録速度及び記録速度と関連して少なくとも一つ以上の情報単位を持つ制御情報を生成する段階（ここで、前記少なくとも一つ以上の情報単位は、特定記録速度及び特定記録層のための記録方法（write strategy）、及び特定記録速度と特定記録層と関連した情報単位を表すポインタ情報を含む。）と、前記制御情報を前記記録媒体の特定領域に記録する段階と、を備えることを特徴とする。
【００１２】
本発明に係るデータ構造は、少なくとも一つの記録層を持つ記録媒体に記録されたり或いは前記記録媒体に記録／再生される制御情報のためのデータ構造であって、前記制御情報は、少なくとも一つ以上の情報単位を含むものの、前記情報単位は、前記記録媒体の特定領域に位置し、各情報単位は特定記録速度及び特定記録層によるシーケンス番号を識別できる位置ポインタを含むことを特徴とする。
【００１３】
本発明に係る記録媒体は、追記可能な領域と事前記録された領域とを備えた少なくとも一つの記録層を含む記録媒体であって、情報単位は、前記事前記録された領域内に応用可能な記録層及び記録速度別に提供されるものの、前記情報単位は、前記応用可能な記録速度別第１情報単位の位置を表す第１ポインタ及び前記応用可能な記録層の情報単位位置を表す第２ポインタを含むことを特徴とする。
【００１４】
本発明に係る光ディスクは、少なくとも一つ以上の記録層を備えるものの、前記記録層は、応用可能な記録層別及び記録速度別に少なくとも一つ以上のディスク制御情報を記録した領域を前記光ディスクの管理領域に提供し、前記少なくとも一つ以上のディスク制御情報のそれぞれに、共通ポインタ情報を記録し、該共通ポインタ情報によって前記少なくとも一つ以上のディスク制御情報がお互いに同じ値を持つようにすることを特徴とする。
【００１５】
本発明に係る光ディスクにデータを記録する方法は、要求された記録速度のためのディスク情報の位置をポインタ情報に基づいてチェックする段階（ここで、前記ポインタ情報は応用可能な記録速度別第１ディスク情報の位置を表す第１ポインタを含む。）と、前記第１ポインタで表示される前記ディスク情報に基づいて記録媒体の特定領域にデータを記録する段階と、を備えることを特徴とする。
【００１６】
本発明に係る光ディスクにまたは光ディスクからデータを記録または再生する装置は、光記録媒体の管理領域内の記録層別及び記録速度別に分離して記録された多数のディスク制御情報を読み出す光ピックアップ部（ここで、各ディスク制御情報は、特定記録層の特定記録速度と関連したディスク制御情報の位置を表す位置情報を含む。）と、前記光ピックアップ部から読み出された前記位置情報から、前記特定記録層及び特定記録速度と関連した前記ディスク制御情報の位置をチェックし、チェックされたディスク制御情報に含まれた記録方法パラメータを用いて記録動作を行う制御部と、を備えることを特徴とする。
【発明の効果】
【００１７】
本発明は、高密度光ディスクの高い記録速度に対応可能なディスク制御情報を提供する種々の方法を提供できる。したがって、光ディスクの記録／再生に効率よく対処できる規格化したディスク制御情報を均一に（uniformly）適用することによって多数のディスク情報を効果的に検索することができる。
【発明を実施するための最良の形態】
【００１８】
以下、添付の図面に基づき、本発明の詳細動作及び構造について詳細に説明する。図面中、同一の構成要素には、可能な限り同一の参照番号及び符号を付する。
【００１９】
本発明では、説明の便宜のために、ブルーレイディスク（ＢＤ）に挙げて光ディスクを説明するが、本発明の技術思想は、それ以外の記録媒体（例えば、ＤＶＤ−ＲＡＭ、ＤＶＤ−ＲＷ、ＤＶＤ＋ＲＷ、ＤＶＤ−Ｒ、ＤＶＤ＋Ｒ）及びこれに類似する系列の記録媒体にも同一に適用可能であることは明らかである。
【００２０】
また、本発明で使用される用語は、可能な限り、現在広く使われている一般的な用語を選んだが、場合によっては出願人が任意に選定した用語もあり、これについては、該当する発明の説明において詳細にその意味を記載しておく。したがって、本発明は、用語自体の単なる名称または意味ではなく、用語が持つ特定意味により把握されなければならない。
【００２１】
例えば、本発明の記載において、ディスクの“ディスク制御情報”とは、特定領域（すなわち、ディスクの追記可能な領域（または、製作者データが記録されそれ以上の記録は不可能なエンボスされた領域（embossed area））に記録され、データ記録されたディスクの再生のために必要な情報を含む。ディスク制御情報は、ブルーレイディスク技術と関連して“ディスク情報”または“ＤＩ”とも呼ばれるが、一般に、ＤＶＤ−ＲＡＭ、ＤＶＤ−ＲＷ、ＤＶＤ＋ＲＷ、ＤＶＤ−Ｒ及びＤＶＤ＋Ｒディスク内に記録される物理的フォーマット情報（physical format information）ともいう。したがって、この物理的フォーマット情報にも本発明の技術的背景が同等に応用可能なことは明らかである。
【００２２】
しかも、本発明によるディスク情報は、カウント可能な情報（例えば、第１または第２情報）の不特定単位（unspecified unit）として記録される。
【００２３】
図１及び図２は、本発明に適用される光ディスクの構造を例示するもので、何れの追記型光ディスクも本発明に適用可能である。例えば、追記型ディスクには、書き換え可能な光ディスクや一度だけ書き込み可能な光ディスクがあり、何れとも本発明に適用可能である。
【００２４】
図１には、一つの記録層を有する光ディスクを示す。
【００２５】
図１を参照すると、リードイン領域（lead-in area）は光ディスクの内周領域に管理領域として提供され、リードアウト領域（lead-out area）は光ディスクの外周領域に管理領域として提供される。この内周領域において、事前記録された領域 （prerecorded area）及び書き換え可能な領域または一度だけ書き込み可能な領域は、それぞれ独立して提供される。
【００２６】
ＢＤ−ＲＥ及びＢＤ−ＷＯ技術において、この事前記録された領域は、ＰＩＣ（Permanent Information and Control）データと呼ばれ、永久情報（permanent information）及び制御データを記録し、このＰＩＣ領域ではディスク情報が記録される。
【００２７】
データ領域は、使用者データが記録された使用者データ領域、インナースペア領域（ＩＳＡ）及びアウタースペア領域（ＯＳＡ）から構成される。ここで、ＩＳＡ及びＯＳＡ領域は、欠陥領域のデータを代替するために使用される。
【００２８】
ＢＤ−ＷＯディスクは、欠陥情報を記録し且つ一般管理を行うためにＴＤＭＡ（Temporary Disc Management Area）領域を備える。書き換え可能なＢＤ−ＲＥにおいてＴＤＭＡは不要な領域であるがためにリザーブド（reserved）領域として残される。
【００２９】
本発明は、ディスク情報（ＤＩ）を事前記録された領域（prerecorded area）または追記可能な領域（recordable area）にまたは、該領域からデータを記録／再生するのに必要なディスク制御情報を記録する方法を提供する。もちろん、事前記録された領域での記録方法は、各ディスクごとに異なって適用される。ＢＤ−ＷＯ及びＢＤ−ＷＯディスクにおいて、事前記録された領域は、ディスク情報を得るために所定の再生方法によって再生される２相高周波変調信号（bi-phased high frequency modulated signal）を用いて記録されたＰＩＣ領域を意味する。
【００３０】
図２は、本発明による２記録層を有する光ディスクの構造を示す図であり、このディスクの内周領域は、第１記録層（Layer1）のリードアウト（lead-out）領域に該当する第１記録層（Layer０）のリードイン（lead-in）領域を含む。
【００３１】
ここで、一つのＰＩＣ領域は、リードイン領域及びリードアウト領域のそれぞれに提供され、各ＰＩＣ領域は同じディスク情報（ＤＩ）を記録する。
【００３２】
図３は、本発明によってフォーマットされたＰＩＣ領域を示す図である。ＢＤ−ＲＥまたはＢＤ−ＷＯディスクのＰＩＣ領域のディスク情報を構成するにおいて、最小記録単位は１クラスタであり、５４４個のクラスタが集まって一つの上位記録単位として１フラグメントを構成し、総５個のフラグメントが集まってＰＩＣ領域を形成する。
【００３３】
１番目のフラグメント（ＩＦＯ）の先頭クラスタ内にディスク情報（ＤＩ）が記録される。ディスク情報（ＤＩ）は、ディスク情報（ＤＩ）は、該当の光ディスクにより適用可能な記録層及び書き込み速度（writing speed）別に複数の個数で記録される。１ディスク情報は、１１２バイトで構成される。特に、このように１１２バイトで構成されたディスク情報（ＤＩ）を“ディスク情報（ＤＩ）フレーム”という。
【００３４】
また、該ディスク情報と同じコンテンツが前記残りフレームの各先頭クラスタに反復して記録されることから、ディスク情報の損失に対応することができる。
【００３５】
該当の記録層を表す情報、記録速度を表す情報、及び当該記録速度に対応する書込み方法情報（write strategy information）が、各ディスク情報に含まれる。これら情報は、光ディスクのデータを記録／再生するのに用いられ、記録層別及び記録速度別に最適記録パワーを提供することができる。
【００３６】
複数のディスク情報から特定記録層の記録速度と関連したディスク情報を獲得するには、ディスク情報のそれぞれの位置情報（“ＤＩフレームポインタ”ともいう。）が記録される必要がある。
【００３７】
例えば、４個の記録層と各記録層ごとに４個の応用可能な記録速度が存在する場合、少なくとも１６個のディスク情報が要求されるために使用上不便であり、また、システムは、特定ディスク情報値の必要毎にディスク情報全体を検索しなければならない。したがって、当該ディスク情報の位置情報（すなわち、ＤＩフレームポインタ）の使用により上記の不便さを克服することができる。
【００３８】
以下、本発明による特定ディスク情報を構成する方法及び特定情報を記録する方法に関する種々の実施形態を、図４Ａ乃至図８を参照して詳細に説明する。
【００３９】
図４Ａ乃至図４Ｃは、本発明の第１実施形態によって記録されたディスク情報の構造を示す図である。
【００４０】
図４Ａは、本発明の第１実施形態を説明するためのディスク情報の構造を示す図である。
【００４１】
図４Ａを参照すると、各ディスク情報の順序（シーケンス）は、シーケンス番号により決定され、１バイトで記録される。例えば、当該情報はディスク情報内の５番目のバイトに記録され、“ＤＩブロック内のＤＩフレームシーケンス番号（DI frame sequence number in DI block）”と命名され、“００ｈ”、“０１ｈ”、“０２ｈ”、…と簡略に表される。
【００４２】
すなわち、５番目のバイト情報が“００ｈ”であれば、これは1番目のディスク情報を意味し、５番目のディスク情報が“１５ｈ”であれば、これは１６番目のディスク情報を意味する。
【００４３】
特定ディスク情報の位置情報を記録するために本発明は、ＤＩフレームポインタ記録速度別（すなわち、Ｎ番目及び（Ｎ＋１）番目のバイトに記録された速度オフセットポインタ（speed offset pointers）別１番目のディスク情報の位置を表す情報、及び記録層と関連したディスク情報の位置を表す情報の組合せ（combination）により決定されるが、該記録層は、Ｍ番目及び（Ｍ＋１）番目のバイトに記録されたＬａｙｅｒ０，１，２，及び３ポインタに適用される記録速度を有する。ここで、これら情報は分離した領域にそれぞれ記録される。
【００４４】
本発明は、記録速度別１番目のディスク情報の位置をディスク情報のうち５番目のバイト情報で表す情報を、該当ディスク情報のシーケンスを表す情報と同じ方式（expression）により該当ディスク情報のシーケンス形態（例えば、‘００ｈ’、‘０３ｈ’など）に記録することに特徴がある。また、本発明は、各記録速度を持つ記録層と関連するディスク情報の位置を表した情報は、該当記録速度別１番目の位置情報に追加された番号（オフセット）を表す。
【００４５】
しかも、図４Ａに示す本発明の第１実施形態において応用可能な記録速度（applicable writing speed）は、第１速度（１Ｘ）、第２速度（２Ｘ）、第３速度（３Ｘ）または第４速度（４Ｘ）で表す。例えば、第３及び第４速度はそれぞれ、４倍速及び６倍速を表すように定義できる。
【００４６】
図４Ａを参照すると、特定バイト（Ｎ番目または（Ｎ＋１）番目のバイト）は、４ビットで区分される。応用可能な記録速度別１番目のディスク情報の位置はそれぞれ、４ビットに記録される。応用可能な記録速度別１番目のディスク情報の位置は５番目のバイトに記録されたディスク情報のシーケンス情報と同一である。
【００４７】
２バイト（すなわち、Ｎ番目及び（Ｎ＋１）番目のバイト）が割り当てられるので、総４個の記録速度を表すことができる。５個またはそれ以上の相異する記録速度が存在する場合、Ｎ番目のバイト、（Ｎ＋１）番目のバイト、（Ｎ＋２）番目のバイトなどのように複数のバイトが追加される。
【００４８】
また、バイトを拡張する他の方法は、図５に示す本発明の第２実施形態において詳細に後述される。
【００４９】
各記録速度が適用された記録層の位置情報は、ディスク情報内の他のバイト（Ｍ番目または（Ｍ＋１）番目のバイト）に記録され、記録速度別１番目のディスク情報に追加された番号（オフセット）を表すようになる。
【００５０】
すなわち、上記の方法により、記録速度別１番目のディスク情報の位置及び該当の記録速度別に適用される記録層の位置を共に表すことができ、１６個のディスク情報の全体位置を合計４個のバイトで表すことが可能になる。
【００５１】
本発明の第１実施形態の応用において、特定または一つのディスク情報を表す位置情報は、ディスク情報内リザーブド領域に１バイトを割り当てることによって表すことができる。１６個のディスク情報がある場合、１６バイトが必要となる。したがって、全体ディスク情報の位置情報を表す場合、以降仕様（future specifications）を拡張する際に発生する問題点を克服できる。
【００５２】
図４Ｂは、本発明の第１実施形態によって４個の記録速度と記録速度別（ここで、第３及び第４記録速度はそれぞれ４倍速及び６倍速に設定される。）に４個の相異する記録層が存在する場合、１６個のディスク情報の位置情報を表した一例を示す図である。
【００５３】
Ｎ番目及び（Ｎ＋１）番目のバイトにおいて、記録速度別１番目のディスク情報の予め定められた位置（previously promised location）は、割り当てられた４ビットで表すことができる。
【００５４】
Ｎ番目バイトの上位４ビットである“００００ｂ”は、１倍速のための１番目のディスク情報の位置を表し、“００ｈ”のシーケンス番号に該当するディスク情報となる。Ｎ番目のバイトの下位４ビットである“０１００ｂ”は、２倍速のための第１ディスク情報の位置を表し、“０４ｈ”のシーケンス番号に該当するディスク情報となる。（Ｎ＋１）番目のバイトの上位４ビットである“１０００ｂ”は、４倍速のための第１ディスク情報の位置を表し、“０８ｈ”のシーケンス番号に該当するディスク情報となる。（Ｎ＋１）番目のバイトの下位４ビットである“１１００ｂ”は、６倍速のための第１ディスク情報の位置を表し、“１２ｈ”のシーケンス番号に該当するディスク情報となる。
【００５５】
Ｍ番目及び（Ｍ＋１）番目のバイトにおいて、各記録速度を持つ記録層の位置を表した情報が記録される。本発明の実施形態は、合計４個の記録層（Ｌａｙｅｒ０、Ｌａｙｅｒ１、Ｌａｙｅｒ２、Ｌａｙｅｒ３）を支援する。
【００５６】
したがって、Ｍ番目のバイトの上位４ビットである“００００ｂ”は、記録速度別第１記録層（Ｌ０）の位置を表す。Ｍ番目のバイトの下位４ビットである“０００１ｂ”は記録速度別第２記録層（Ｌ１）の位置を表す。（Ｍ＋１）番目バイトの上位４ビットである“００１０ｂ”は、記録速度別第３記録層（Ｌ２）の位置を表す。（Ｍ＋１）番目のバイトの下位４ビットである“００１１ｂ”は、記録速度別第４記録層（Ｌ３）の位置を表す。
【００５７】
上記において、記録層情報は、記録速度別第１位置情報のそれぞれに追加された番号（オフセット）を意味する。例えば、記録層位置情報が“００００ｂ”（Ｌ０）ならば、追加される当該番号（オフセット）が“０”なので、記録層情報は記録速度別第１ディスク情報を意味する。そして、記録層位置情報が“００１０ｂ”（Ｌ２）ならば、追加される当該番号（オフセット）が“２”なので、記録層情報は記録速度別第１ディスク情報内の次の第２ディスク情報を意味する。
【００５８】
システムが第３記録層の４倍速ディスク情報をチェックしようとする場合、４倍速のための第１ディスク情報の位置は、（Ｎ＋１）番目のバイト（すなわち、“０８ｈ”）の上位４ビットからチェックされ、該当記録速度のための記録層位置は（Ｍ＋１）番目のバイトの上位４ビットからチェックされる。これによってディスク情報が４倍速（“０８ｈ”）のための第１ディスク情報の３番目の位置に置かれるようになる。したがって、最後に検索されるディスク情報の位置は、シーケンス番号“１１ｈ”を持つディスク情報となる。
【００５９】
図４Ｃは、図４Ａに示す本発明の第１実施形態によるディスク位置情報（disc information location information）を表した一例を示すもので、２個の記録層と各記録層別４個の相異する記録速度情報が存在し、合計８個の相異するディスク情報が備えられる場合のディスク位置情報を示している。この詳細な方法は、図４Ｂに記載された方法と同一なので、それに対する説明は省略するものとする。
【００６０】
本発明は、２個の記録層が存在する場合に係るもので、第３記録層及び第４記録層の情報を含む（Ｍ＋１）番目のバイトは、“１１１１ｂ”を設定するにおいては不要である。もし“１１１１ｂ”情報が検出されると、システムは、該当記録層が存在しないと認識する。“１１１１ｂ”の値が他の認識可能な値（another recognizable value）にも代替可能であることは自明である。
【００６１】
図５は、本発明の第２実施形態によって記録されたディスク情報の構造を示すもので、図４Ａに示す本発明の第１実施形態の内容がより多くの記録速度またはより多くの記録層を追加するために拡張される場合に適用可能である。
【００６２】
言い換えれば、本発明の第１実施形態は、ディスク情報の位置を表す方法に関するもので、このディスク情報は、最大４個の記録層と各記録層別に４個の記録速度を表す。
【００６３】
記録層の数または記録速度の数が５個を超過する場合、本発明の第１実施形態は、これら記録層と記録速度を表すことができなくなる。したがって、このような問題を解決するために本発明の第２実施形態はディスク情報により多くのバイトを割り当てる。説明の便宜のために、初期４個のバイト（すなわち、Ｎ、（Ｎ＋１）、Ｍ及び（Ｍ＋１）バイト）で構成されたグループは、第１グループ領域（first group field）と命名され、他の４個のバイト（すなわち、Ｘ、（Ｘ＋１）、Ｙ及び（Ｙ＋１）バイト）で構成されたグループは、第２グループ領域（second group field）と命名される。
【００６４】
第１グループ領域と同じ方式で行われる第２グループ領域の記録方法は、追加的（additional）記録速度（すなわち、Ｘ番目及び（Ｘ＋１）番目のバイトに記録された５番目〜８番目の記録速度のためのオフセットポインタ）別第１ディスク情報の位置を表した情報、及び各記録速度を持つ追加的記録層（すなわち、Ｙ番目及び（Ｙ＋１）番目のバイトに記録されたＬａｙｅｒ４、５、６及び７ポインタ）と関連したディスク情報の位置を表す情報を、上記記録情報の組み合わせにより相異する領域に記録することによって決定される。
【００６５】
そして、第１及び第２グループ領域を使用するか否かを支える（support）情報がディスク情報内のリザーブド領域に１バイトで記録される。例えば、該情報は、ディスク情報内のＬ番目のバイトを使用することによって、“ＤＩフレームポインタ用使用バイト（using byte for DI frame pointer）”と命名される。
【００６６】
メイン領域（main field）は、ディスク情報の位置情報を、第１グループ領域（Ｎ番目、（Ｎ＋１）番目、Ｍ番目、（Ｍ＋１）番目のバイト）のみにて表す場合、“００００ ００００ｂ”に設定される。また、メイン領域は、ディスク情報の位置情報を第１グループ領域（Ｎ番目、（Ｎ＋１）番目、Ｍ番目、（Ｍ＋１）番目のバイト）及び第２グループ領域（Ｘ番目、（Ｘ＋１）番目、Ｙ番目、（Ｙ＋１）番目のバイト）を共に使用して表す場合、“００００ ０００１ｂ”に設定される。これで、現在使用された位置情報のためのバイト（すなわち、グループ領域）を確認することができる。
【００６７】
したがって、記録速度の数及び記録層の数は４以下で、第１グループ領域のみが用いられて、第２グループ領域は何れも“０”と設定され、“００００ ００００ｂ”がＬ番目のバイトに記録される。記録速度の数と記録層の数とも少なくとも５個の相異する情報をそれぞれ必要とし、第１及び第２グループ領域の両方とも使用され、“００００ ０００１ｂ”がＬ番目のバイトに記録される。
【００６８】
図６Ａ乃至図６Ｄは、本発明の第３実施形態によって記録されたディスク情報の構造を示す図であり、固有の記録層情報及び固有の記録速度情報がディスク情報内に位置情報として記録されている。
【００６９】
図６Ａを参照すると、各ディスク情報の順序（シーケンス）は、シーケンス番号により決定され、１バイトで記録される。例えば、この情報はディスク情報内の５番目のバイトに記録され、“ＤＩブロック内のＤＩフレームシーケンス番号（DI frame sequence number in DI block）”と命名され、“００ｈ”、“０１ｈ”、“０２ｈ”、…で簡略に表示される。
【００７０】
すなわち、５番目のバイト情報が“００ｈ”であれば、これは１番目のディスク情報を意味し、５番目のディスク情報が“０７ｈ”であれば、これは８番目のディスク情報を意味する。また、該当ディスク情報によって使用される記録層情報と記録速度情報は、ディスク情報内の特定領域（Ｋ番目のバイト）に記録される所定ビットで表すことができる。
【００７１】
例えば、記録層情報がＫ番目のバイトの上位４ビットに記録され、記録速度情報がＫ番目のバイトの下位４ビットに記録される。
【００７２】
ここで、記録層情報は次のように定義できる。もし、記録層情報が“００００ｂ”であれば、これは第１記録層（Ｌ０）を意味し、記録層情報が“０００１ｂ”であれば、これは第２記録層（Ｌ１）を意味し、記録層情報が“１１１１ｂ”であれば、これは第１６記録層（Ｌ１５）を意味する。
【００７３】
また、記録速度情報は次のように様々に定義できる。例えば、記録速度情報が“００００ｂ”であれば、これは２倍速を意味する。記録速度情報が“０１１１ｂ”であれば、これは８倍速を意味する。記録速度情報が“１１１１ｂ”であれば、これは１６倍速を意味する。
【００７４】
したがって、このような記録層情報定義方法や記録速度情報定義方法は、システムや仕様（specification）設定によって様々に定義できる。それ以外にも、１バイト割当によって記録層情報や記録速度情報を定義することができる。
【００７５】
したがって、図４に示すように、固有記録層情報とそのシーケンス番号に該当する固有記録速度情報は、予め設定された所定位置（すなわち、ｋ番目のバイト）に記録され、該当ディスク情報の記録層と記録速度情報を確認する過程を容易にさせる。該当記録層と記録速度に見合う記録パワーまたは記録パラメータをＰ番目〜１１１番目のバイトのようなディスク情報内に残りのバイトを使用して記録すると、これら情報を用いて記録／再生動作が効率よくなされるようになる。
【００７６】
図６Ｂは、本発明の第３実施形態によって記録されたディスク情報の一例を示すもので、ディスク情報の位置情報を、本発明の第１実施形態及び第２実施形態の組み合わせによって表している。
【００７７】
何よりも、ディスク情報は、該当ディスクの記録速度情報及び該記録速度に対処する記録方法（Write Strategy（ＷＳ））を含む極めて重要な情報であり、高い信頼性（high reliance）を必要とする。
【００７８】
本発明の第１実施形態及び第２実施形態と共に本発明の第３実施形態の具現方法によって、ディスク情報が記録されると、該ディスク情報のエラー検出に対処し易くなる。
【００７９】
しかも、本発明の第１実施形態及び第２実施形態による方法が、本発明の特定実施形態を図８に示す記録／再生装置の設計過程に適用できるように記録されるので、柔軟な具現性（flexibility of implementation）をさらに提供可能である。
【００８０】
図６Ｂを参照すると、該当ディスク情報の固有の記録層情報及び固有の記録速度情報は、ディスク情報内のＫ番目のバイトに記録される。ポインタ情報（pointer information）は、図５に示す本発明の第２実施形態と同じ方法でＮ番目〜（Ｎ＋１）番目、Ｍ番目〜（Ｍ＋１）番目、Ｘ番目〜（Ｘ+１）番目、及びＹ番目〜（Ｙ+１）番目のバイトに記録される。
【００８１】
記録速度別第１ディスク情報の位置は、Ｎ番目〜（Ｎ＋１）番目のバイト及びＸ番目〜（Ｘ+１）番目のバイトに記録され、記録層情報別応用（applicable）は、Ｍ番目〜（Ｍ＋１）番目のバイト及びＹ番目〜（Ｙ+１）番目のバイトに記録されるが、このような動作は、記録速度情報別に該当する第１ディスク情報の位置に追加された（added）数（オフセット）を記録する方法で行われる。また、これに、本発明の第２実施形態（図５）で使用されたＬ番目のバイトを適用できることは明白である。
【００８２】
図６Ｃは、図６Ｂの実施形態を用いたディスク情報の一例を示すもので、８個の記録速度のそれぞれと４個の記録層のそれぞれと関連して合計３２個のディスク情報がディスク内に存在している。特に、図６Ｃは、３２個のディスク情報のうち５番目のディスク情報であるシーケンス番号“０４ｈ”を示している。
【００８３】
シーケンス番号“０４ｈ”を持つディスク情報において、全体ディスク情報に記録された共通のポインタ情報（common pointer information）は、Ｎ番目〜（Ｎ＋１）番目、Ｍ番目〜（Ｍ＋１）番目、Ｘ番目〜（Ｘ+１）番目、及びＹ番目〜（Ｙ+１）番目のバイトに記録される。本実施形態の４個の記録層では、追加的な（additional）記録層を表すＹ番目〜（Ｙ＋１）番目のバイトは使用されず、それぞれ“１１１１ｂ”に設定される。
【００８４】
シーケンス番号“０４ｈ”を持つディスク情報内のＫ番目のバイトにおいて、該当ディスク情報による記録層情報及び記録速度情報は、該当ディスク情報の固有情報として記録される。すなわち、ディスク情報“０４ｈ”が第１記録層のディスク情報と関連した２倍速であれば、第７バイトの上位４ビットは、第１記録層（Ｌ０）を表すために“００００ｂ”に設定され、下位４ビットは、２倍速を表す情報を直接記録すために“０００１ｂ”に設定される。
【００８５】
したがって、“第１記録層２倍速ディスク情報（1st recording layer 2x speed disc information）”を検索しようとする場合、図８の記録／再生装置は、Ｎ番目の下位４ビットの“０１００（０４ｈ）”を、ポインタ情報からの２倍速ポインタ（2x speed pointer）として読み出し、第１記録層を意味するＭ番目の上位４ビットから“００００（Ｌ０）”を読み出し、読み出された情報を記録速度情報（“０１００（０４ｈ）"）に追加することによって、上記“第１記録層２倍速”と関連した最後のディスク情報の位置が“０４ｈ”であることを認識する。
【００８６】
また、図８の記録／再生装置は、該当ディスク情報が、ポインタ情報から見つけられたディスク情報“０４ｈ”内のＫ番目のバイトからの“第１記録層２倍速”と関連したことを再確認可能にする。
【００８７】
図６Ｄは、図６Ｂの実施形態を用いたディスク情報の一例を示すもので、８個の記録速度のそれぞれと４個の記録層のそれぞれと関連して合計３２個のディスク情報がディスク内に存在することを示す。特に、図６Ｄは、３２個のディスク情報のうち最後の５番目のＤＩシーケンス番号“３１ｈ”を示している。
【００８８】
シーケンス番号“３１ｈ”を持つディスク情報において、他のディスク情報は同じポインタ情報を持つ。シーケンス番号“３１ｈ”を持つディスク情報内のＫ番目のバイトに、記録層情報（第３記録層を意味する“００１１”）及び記録速度情報（１６倍速を意味する“１１１１”）が記録されるが、該記録層情報と記録速度情報は“３１ｈ”ディスク情報の固有のものである。
【００８９】
したがって、“第３記録層１６倍速ディスク情報（3rd recording layer 16x speed disc information）”を検索しようとする場合、図８の記録／再生装置は、該当ディスク情報がポインタ情報からの“３１ｈ”であるのを認識し、その後、該当ディスク情報が“３１ｈディスク情報”内のＫ番目のバイトからの“第３記録層１６倍速”と関連することを確認または検証する。その結果、正確なディスク情報が検出できる。
【００９０】
図７Ａ及び図７Ｂは、本発明の第４実施形態によって記録されたディスク制御情報の構造図である。
【００９１】
図７Ａは、本発明の第４実施形態を説明するためのディスク情報の構造を示す図である。
【００９２】
図７Ａを参照すると、各ディスク情報の順序（シーケンス）は、シーケンス番号によって決定され、１バイトで記録される。例えば、前記情報は、ディスク情報内の５番目のバイトに記録され、“ＤＩブロック内のＤＩフレームシーケンス番号（DI frame sequence number in DI block）”で命名され、“００ｈ”、“０１ｈ”、“０２ｈ”、…で簡略に表示される。
【００９３】
すなわち、５番目のバイト情報が“００ｈ”であれば、これは最初ディスク情報を意味し、５番目のディスク情報が“０７”であれば、これは８番目のディスク情報を意味する。
【００９４】
特定ディスク情報の位置情報を記録すべく、本発明の第４実施形態は、特定記録層が特定記録速度と結合して一つの位置情報を表すことにその特徴がある。
【００９５】
特に、第１記録層（Ｌ０）のための４個の記録速度情報は、４個の記録速度情報のそれぞれに４ビットを割り当てることによって、ディスク情報内のＮ番目〜（Ｎ＋１）番目のバイトに記録される。第２記録層（Ｌ１）のための４個の記録速度情報は、４個の記録速度情報のそれぞれに４ビットを割り当てることによって、ディスク情報内のＭ番目〜（Ｍ＋１）番目のバイトに記録される。
【００９６】
すなわち、本発明の第４実施形態において、該当ディスク情報の位置は４ビットで直接表示されるので、８個のディスク情報のための位置情報は、Ｎ番目、（Ｎ＋１）番目、Ｍ番目、及び（Ｍ＋１）番目のバイト（すなわち、合計４バイト）で表すことができる。
【００９７】
このように８個のディスク情報を４バイトで表す本発明の第４実施形態による方法は、たとえ第２または第３実施形態に比べてバイト効率性には劣るが、相異する情報を組合せ（combination）しなくてもディスク情報の位置を直接表すことができるという長所がある。
【００９８】
図７Ｂは、合計８個のディスク情報の各位置情報を表した方法の一例を示すもので、２個の記録層と記録層別に４個の相異なる記録速度情報が存在する。すなわち、該当ディスク情報の順序（シーケンス）に相応する情報は、記録層別及び記録速度別にあらかじめ定められた位置の位置情報としてディスク情報のＮ番目、（Ｎ＋１）番目、Ｍ番目、及び（Ｍ＋１）番目のバイトに記録される。
【００９９】
以上の実施形態において、まず、応用可能な記録速度別ディスク制御情報の位置を表すポインタを考慮し、その後、応用可能な記録層の位置情報を表すポインタを考慮する。あるいは、ディスク制御情報が応用可能な記録層及び同じ記録層内の応用可能な記録速度の順序で構成されている場合、前記ディスク制御情報は、応用可能な記録層の位置情報を表すポインタをまず考慮する。
【０１００】
また、各ディスク制御情報が全体応用可能な記録速度及び全体応用可能な記録層を表す情報を含む場合、バイト“５”の“ＤＩフレームシーケンス番号”を使って前記関連したディスク制御情報を検索可能である。
【０１０１】
例えば、応用可能記録速度が４個の記録速度を含み、応用可能記録層が２個の記録層を含むと、全体ディスク制御情報として１６個のディスク制御情報が必要となる。
【０１０２】
検索されるディスク制御情報が“第２応用可能記録速度及び第２応用可能記録層”であれば、記録速度別または記録層別第１順序による関連ディスク制御情報（“０３ｈ”または“０５ｈ”）を、“ＤＩフレームシーケンス番号”が“００ｈ”から昇順に増加するので、該“ＤＩフレームシーケンス番号”を用いて検索する。
【０１０３】
図８は、本発明によるディスク情報を用いた光記録／再生装置を示すブロック図である。
【０１０４】
図８を参照すると、本発明による記録／再生装置は、光ディスクの記録／再生を行う記録／再生部（recorder/reproducer）１０と、該記録／再生部１０を制御する制御部２０と、を備える。
【０１０５】
制御部２０（例えば、ホスト）は、所定領域のための命令を記録あるいは再生する。記録／再生部１０は、制御部２０の命令に応じて前記所定領域に記録／再生動作を行う。特に、記録／再生部１０は、外部機器と通信するインターフェース部１２を備える。ピックアップ部１１は、光ディスクにデータを直接記録したり該光ディスクからデータを再生する。データ処理部１３は、ピックアップ部１１から受信した再生信号を、望む信号値に復元したり、記録される信号を、光ディスクに記録される信号に変調して伝達する。サーボ１４は、光ディスクから信号を正確に読み出したり、ピックアップ部１１が光ディスクに信号を正確に記録するように制御する。メモリ１５は、管理情報及びデータを含む種々の情報を臨時格納する。マイコン１６は、記録／再生部１０内に含まれた上記の諸構成要素を制御する。
【０１０６】
以下、本発明による光ディスクのディスク情報検索過程を詳細に説明する。
【０１０７】
光ディスクが光記録／再生装置にローディングされると、ディスク内の全体ディスク管理情報が読み出されて記録／再生部１０のメモリに臨時格納される。種々のディスク管理情報が、光ディスクにデータを記録したり、あるいは光ディスクからデータを再生するのに使用される。
【０１０８】
特に、メモリ１５に格納された管理情報は、本発明のディスク情報を含む。したがって、記録層情報、記録速度情報、及び該当記録速度（上記ディスク制御情報に記録される）に好適な記録方法（write strategy）がメモリ１５に臨時格納されるように読み出される。
【０１０９】
光ディスク内の所定領域にデータ記録を行おうとする場合、制御部２０はその旨を記録命令に含め、この記録命令を、記録される位置情報記録のためのデータと共に記録／再生部１０に伝達する。
【０１１０】
この記録命令を受信すると、マイコン１６は、光ディスク内の望む記録層に適用された該当記録速度を、メモリ１５に格納された管理情報から決定し、決定された記録速度を参照して最適の記録方法（write strategy）を用いて記録命令を遂行する。
【０１１１】
このようにしてディスク情報の位置情報が全てのディスク情報内に記録されるので、マイコンは、ディスク情報の何れか一つを読み出し全体ディスク情報の位置情報を認識できるので、要求された記録層の要求された記録速度情報と関連したディスク情報を獲得し易くなる。すなわち、多数のディスク情報が存在する場合、全体ディスク情報の検索のためにメモリに取られる時間負荷（load of time）を短縮することができる。
【０１１２】
したがって、制御部２０の記録命令のために、記録／再生部が必要時にはいつでも位置確認されたディスク情報（location-confirmed disc information）を獲得でき、ディスク情報に記録された記録方法パラメータ（write strategy parameters）を用いて記録命令を高速で実行させることができる。
【０１１３】
さらに、本発明の第３実施形態を追加的に適用する場合、該当ディスク情報の固有記録層の数及び固有記録速度の数をディスク情報内のＫ番目のバイトから確認することができる。
【０１１４】
一方、以上では本発明を具体的な実施形態に上げて説明してきたが、本発明の範囲を逸脱しない限度内で当業者による種々の変形が可能であることはいうまでもない。したがって、本発明の範囲は、以上の具体的な実施形態によって限定されてはならず、添付した特許請求の範囲とその均等物により定められるべきである。
【図面の簡単な説明】
【０１１５】
【図１】本発明に適用されるシングルレイヤーディスクの構造図である。
【図２】本発明に適用されるデュアルレイヤーディスクの構造図である。
【図３】本発明によるディスク制御情報が記録された管理領域の構造を示すもので、該管理領域には該当の領域内ディスク情報記録フォーマットがし示されている。
【図４Ａ】本発明の第１実施形態によって記録されたディスク情報の構造を示す図である。
【図４Ｂ】本発明の第１実施形態によって記録されたディスク情報の構造を示す図である。
【図４Ｃ】本発明の第１実施形態によって記録されたディスク情報の構造を示す図である。
【図５】本発明の第２実施形態によって記録されたディスク情報の構造図である。
【図６Ａ】本発明の第３実施形態によって記録されたディスク情報の構造図である。
【図６Ｂ】本発明の第３実施形態によって記録されたディスク情報の構造図である。
【図６Ｃ】本発明の第３実施形態によって記録されたディスク情報の構造図である。
【図６Ｄ】本発明の第３実施形態によって記録されたディスク情報の構造図である。
【図７Ａ】本発明の第４実施形態によって記録されたディスク情報の構造図である。
【図７Ｂ】本発明の第４実施形態によって記録されたディスク情報の構造図である。
【図８】本発明によるディスク情報を用いた光記録／再生装置を示すブロック図である。
【図１】
2007527084.tif 000003
【図２】
2007527084.tif 000004
【図３】
2007527084.tif 000005
【図４Ａ】
2007527084.tif 000006
【図４Ｂ】
2007527084.tif 000007
【図４Ｃ】
2007527084.tif 000008
【図５】
2007527084.tif 000009
【図６Ａ】
2007527084.tif 000010
【図６Ｂ】
2007527084.tif 000011
【図６Ｃ】
2007527084.tif 000012
【図６Ｄ】
2007527084.tif 000013
【図７Ａ】
2007527084.tif 000014
【図７Ｂ】
2007527084.tif 000015
【図８】
2007527084.tif 000016
【国際調査報告】
2007527084.tif 000017
2007527084.tif 000018